(57)【要約】【課題】継ぎ目板が取り付けられる上側ガイドレール及び下側ガイドレールに捩じれを生じさせることなく、板厚の大きな継ぎ目板に交換することができるガイドレールの継ぎ目板脱着治具の提供。【解決手段】本発明に係るガイドレールの継ぎ目板脱着治具は、継ぎ目部分８の上側に位置する上側ガイドレール６ａに着脱可能に設けられ、継ぎ目板９の脱着の間、上側ガイドレール６ａと、昇降路１の壁部１５との間隔を所定間隔に保持する第１間隔保持部材Ａと、継ぎ目部分８の下側に位置する下側ガイドレール６ｂに着脱可能に設けられ、継ぎ目板９の脱着の間、下側ガイドレール６ｂと、昇降路１の壁部１５との間隔を所定間隔に保持する第２間隔保持部材Ｂとを備えている。【選択図】図３
2016102001.tif 000002
【特許請求の範囲】
【請求項１】
昇降体を上下方向に案内するガイドレールを構成する複数の単位ガイドレールの継ぎ目部分に取り付けられた継ぎ目板の脱着に際して用いられるガイドレールの継ぎ目板脱着治具において、
前記継ぎ目部分の上側に位置する上側ガイドレールに着脱可能に設けられ、前記継ぎ目板の脱着の間、前記上側ガイドレールと、この上側ガイドレールに対向する壁部との間隔を所定間隔に保持する第１間隔保持部材と、
前記継ぎ目部分の下側に位置する下側ガイドレールに着脱可能に設けられ、前記継ぎ目板の脱着の間、前記下側ガイドレールと、この下側ガイドレールに対向する壁部との間隔を所定間隔に保持する第２間隔保持部材とを備えたことを特徴とするガイドレールの継ぎ目板脱着治具。
【請求項２】
請求項１に記載のガイドレールの継ぎ目板脱着治具において、
前記第１間隔保持部材を、前記上側ガイドレールの伸長方向と直交する左右方向に１対設け、
前記第２間隔保持部材を、前記上側ガイドレールの伸長方向と直交する左右方向に１対設けたことを特徴とするガイドレールの継ぎ目板脱着治具。
【請求項３】
請求項２に記載のガイドレールの継ぎ目板脱着治具において、
前記第１間隔保持部材、及び前記第２間隔保持部材のそれぞれは、前記ガイドレールに取り付けられる取り付け部と、前記壁部に当接する当接部とを有することを特徴とするガイドレールの継ぎ目板脱着治具。
【請求項４】
請求項３に記載のガイドレールの継ぎ目板脱着治具において、
前記ガイドレールは、前記昇降体を案内するレール部と、このレール部に連設され、所定部位に固定されるベース部とを有し、
前記第１間隔保持部材、及び前記第２間隔保持部材のそれぞれは、本体を構成するブラケットを備え、
前記取り付け部は、前記ブラケットの一端に設けられ、前記ガイドレールの前記ベース部を挟持する挟持部材から成り、
前記当接部は、前記ブラケットの他端に設けたジャッキボルトから成ることを特徴とするガイドレールの継ぎ目板脱着治具。
【請求項５】
請求項４に記載のガイドレールの継ぎ目板脱着治具において、
前記挟持部材は、前記ガイドレールの前記ベース部に当接し、前記ブラケットの前記一端との協働により前記ベース部を挟持するクランプと、前記クランプを前記ブラケットの前記一端に締結するボルト及びナットとから成ることを特徴とするガイドレールの継ぎ目板脱着治具。
【請求項６】
請求項４に記載のガイドレールの継ぎ目板脱着治具において、
前記ブラケットの前記他端に形成され、前記ジャッキボルトが螺合するねじ孔と、前記ジャッキボルトに螺合し、前記ジャッキボルトを前記ブラケットの前記他端に固定する固定ナットとを備えたことを特徴とするガイドレールの継ぎ目板脱着治具。
【請求項７】
請求項１〜６のいずれか１項に記載のガイドレールの継ぎ目板脱着治具において、
前記昇降体は、エレベータの乗かごから成ることを特徴とするガイドレールの継ぎ目板脱着治具。
【発明の詳細な説明】
【技術分野】
【０００１】
本発明は、エレベータの乗かご等の昇降体を上下方向に案内するガイドレールを構成する複数の単位ガイドレールの継ぎ目部分に取り付けられた継ぎ目板の脱着に際して用いられるガイドレールの継ぎ目板脱着治具に関する。
【背景技術】
【０００２】
図５は、継ぎ目板が取り付けられるガイドレールを備えた機械設備の一例として挙げたエレベータを示す側面図、図６は図５のＡ−Ａ方向から見た図、図７は図６のＢ−Ｂ矢視拡大図、図８は図７に対応する要部側面図である。
【０００３】
昇降機、例えばエレベータは、図５，６に示すように、昇降路１と、この昇降路１内に配置された昇降体例えば乗かご２、及び釣り合いおもり３と、これらの乗かご２と釣り合いおもり３とを連結する主ロープ４と、この主ロープ４を移動させるシーブを含む巻上機５とを備えている。
【０００４】
図６に示すように、乗かご２はガイドレール６によって上下方向に案内され、釣り合いおもり３はガイドレール７によって上下方向に案内される。ガイドレール６及びガイドレール７のそれぞれは、上下方向に接続される複数の単位ガイドレールを接続することによって構成されている。
【０００５】
図７，８に示すように、例えば乗かご２を案内するガイドレール６を構成する複数の単位ガイドレールのうちの上側に位置する上側ガイドレール６ａと、この上側ガイドレール６ａに隣接して設けられる下側ガイドレール６ｂとの継ぎ目部分８には、上側ガイドレール６ａと下側ガイドレール６ｂとを連結する継ぎ目板９が配置されている。
【０００６】
ここで、上側ガイドレール６ａは、乗かご２を案内するレール部６ａ１と、このレール部６ａ１に連設され、所定部位に固定されるベース部６ａ２とを有している。同様に下側ガイドレール６ｂも、乗かご２を案内するレール部６ｂ１と、このレール部６ｂ１に連設され、所定部位に固定されるベース部６ｂ２とを有している。
【０００７】
前述した継ぎ目板９の上側部分は、ボルト１０とナット１１により上側ガイドレール６ａのベース部６ａ２に固定されている。継ぎ目板９の下側部分は、ボルト１２とナット１３により下側ガイドレール６ｂのベース部６ｂ２に固定されている。この種の従来技術は、特許文献１に開示されている。
【０００８】
ところで昨今、例えば既設のガイドレール６等に対して耐震上の強度を確保することが要求されている。このような耐震補強、例えばガイドレール６に対する補強に際しては、ガイドレール６の継ぎ目部分８を連結する継ぎ目板９の上側位置に、上側ガイドレール６ａを支持する支持ブラケットを設け、継ぎ目板９の下側位置に、下側ガイドレール６ｂを支持する支持ブラケットを設けることが考えられる。
【先行技術文献】
【特許文献】
【０００９】
【特許文献１】特開２００５−１０４６７３号公報
【発明の概要】
【発明が解決しようとする課題】
【００１０】
前述のように、例えばガイドレール６の耐震補強のために、継ぎ目板９を挟んで上下に支持ブラケットを設けた場合には、継ぎ目板９毎の上下に支持ブラケットを設けることが必要になり、部材数が増加する。また、支持ブラケットを取り付ける作業工数が多くなる。これらのためにガイドレール６の耐震上の強度を確保する作業の費用が高くなってしまう。
【００１１】
このようなことから、ガイドレール６の耐震上の強度を確保する作業に際して、例えば既設のガイドレールに設けられている継ぎ目板９を、厚さの大きな継ぎ目板に交換することが考えられる。このように板厚の大きな継ぎ目板を設けることにより、耐震補強に要する部材数、及び作業工数を低減させることができる。
【００１２】
しかしながら、前述のように既設の継ぎ目板９を板厚の大きな継ぎ目板に交換しようとすると、図７，８に示したボルト１０，１２を緩め、既設の継ぎ目板９を取り外そうとした際に、上側ガイドレール６ａ、及びこの上側ガイドレール６ａのさらに上側に位置する単位ガイドレールの自重等によって、上側ガイドレール６ａ及び下側ガイドレール６ａに捩じれを生じてしまう。したがって、既設の継ぎ目板９を取り外した後に、板厚の大きな継ぎ目板を上側ガイドレール６ａ及び下側ガイドレール６ｂに取り付ける際には、上側ガイドレール６ａ、下側ガイドレール６ａの捩じれを解消させる煩雑な作業が必要になってしまう。
【００１３】
本発明は、前述した従来技術における実情からなされたもので、その目的は、継ぎ目板が取り付けられる上側ガイドレール及び下側ガイドレールに捩じれを生じさせることなく、板厚の大きな継ぎ目板に交換することができるガイドレールの継ぎ目板脱着治具を提供することにある。
【課題を解決するための手段】
【００１４】
前記目的を達成するために、本発明に係るガイドレールの継ぎ目板脱着治具は、  昇降体を上下方向に案内するガイドレールを構成する複数の単位ガイドレールの継ぎ目部分に取り付けられた継ぎ目板の脱着に際して用いられるガイドレールの継ぎ目板脱着治具において、前記継ぎ目部分の上側に位置する上側ガイドレールに着脱可能に設けられ、前記継ぎ目板の脱着の間、前記上側ガイドレールと、この上側ガイドレールに対向する壁部との間隔を所定間隔に保持する第１間隔保持部材と、前記継ぎ目部分の下側に位置する下側ガイドレールに着脱可能に設けられ、前記継ぎ目板の脱着の間、前記下側ガイドレールと、この下側ガイドレールに対向する壁部との間隔を所定間隔に保持する第２間隔保持部材とを備えたことを特徴としている。
【発明の効果】
【００１５】
本発明に係るガイドレールの継ぎ目板脱着治具は、第１間隔保持部材と第２間隔保持部材とにより、継ぎ目板が取り付けられる上側ガイドレール及び下側ガイドレールに捩じれを生じさせることなく、板厚の大きな継ぎ目板に交換することができる。これにより本発明は、ガイドレールの耐震上の強度の確保を、少ない部材数で、また少ない作業工数で実現させることができ、ガイドレールの耐震強度確保に要する作業費用を抑えることができて、実用性に富む。
【図面の簡単な説明】
【００１６】
【図１】本発明に係るガイドレールの継ぎ目板脱着治具の一実施形態を示す平面図である。
【図２】本実施形態を用いて継ぎ目板を交換する作業時の状態を示す要部拡大平面図である。
【図３】本実施形態を用いて継ぎ目板を交換する作業時の状態を示す側面図である。
【図４】ガイドレールに板厚の大きな継ぎ目板を取り付けた状態を示す要部側面図である。
【図５】継ぎ目板が取り付けられるガイドレールを備えた機械設備の一例として挙げたエレベータを示す側面図である。
【図６】図５のＡ−Ａ方向から見た図である。
【図７】図６のＢ−Ｂ矢視拡大図である。
【図８】図７に対応する要部側面図である。
【発明を実施するための形態】
【００１７】
以下、本発明に係るガイドレールの継ぎ目板脱着治具の実施の形態を図面に基づいて説明する。
【００１８】
図１は、本発明に係るガイドレールの継ぎ目板脱着治具の一実施形態を示す平面図、図２は、本実施形態を用いて継ぎ目板を交換する作業時の状態を示す要部拡大平面図、図３は、本実施形態を用いて継ぎ目板を交換する作業時の状態を示す側面図、図４は、ガイドレールに板厚の大きな継ぎ目板を取り付けた状態を示す要部側面図である。なお、以下においても前述した図５〜８を活用して説明を行う。
【００１９】
本実施形態に係るガイドレールの継ぎ目板脱着治具は、昇降機、例えばエレベータの昇降体、例えば図５，６に示した乗かご２を上下方向に案内するガイドレール６を構成する複数の単位ガイドレールの継ぎ目部分８に取り付けられた継ぎ目板９の脱着に際して用いられる。
【００２０】
本実施形態は、図３に示すように、継ぎ目板９の上側に位置する上側ガイドレール６に着脱可能に設けられ、継ぎ目板９の脱着の間、上側ガイドレール６ａと、この上側ガイドレール６ａに対向する昇降路１の壁部１５との間隔を所定間隔、例えば既設の上側ガイドレール６ａと昇降路１の壁部１５の間隔と同等の間隔に保持する第１間隔保持部材Ａを備えている。
【００２１】
また本実施形態は、同図３に示すように、継ぎ目板９の下側に位置する下側ガイドレール６ｂに着脱可能に取り付けられ、継ぎ目板９の脱着の間、下側ガイドレール６ｂと、この下側ガイドレール６ｂに対向する昇降路１の壁部１５との間隔を所定間隔、例えば既設の下側ガイドレール６ｂと昇降路１の壁部１５との間隔と同等の間隔に保持する第２間隔保持部材Ｂを備えている。第１間隔保持部材Ａと第２間隔保持部材Ｂとは、例えば同等の構成にしてある。
【００２２】
図２に示すように、上側ガイドレール６ａに着脱可能に設けられる第１間隔保持部材Ａは、上側ガイドレール６ａの伸長方向と直交する左右方向に一対設けてある。同様に下側ガイドレール６ｂに着脱可能に設けられる第２間隔保持部材Ｂも、下側ガイドレール６ｂの伸長方向に直交する左右方向に一対設けてある。すなわち、同等の構成を有する間隔保持部材を、継ぎ目板９の周囲に４つ設けるようにしてある。
【００２３】
第１間隔保持部材Ａ、及び第２間隔保持部材Ｂのそれぞれは、ガイドレール６ａ，６ｂのそれぞれに取り付けられる取り付け部と、昇降路１の壁部１５に当接する当接部とを有している。
【００２４】
なお前述したように、上側ガイドレール６ａは、乗かご２を案内するレール部６ａ１と、このレール部６ａ１に連設され、所定部位に固定されるベース部６ａ２とを有している。同様に、下側ガイドレール６ｂも、乗かご２を案内するレール部６ｂ１と、このレール部６ｂ１に連設され、所定部位に固定されるベース部６ｂ２とを有している。
【００２５】
前述した第１間隔保持部材Ａ、及び第２間隔保持部材Ｂは、図１に示すように、本体を構成するブラケット２０を備えている。前述した取り付け部は、ブラケット２０の一端２０ａに設けられ、ガイドレール６ａ，６ｂのベース部６ａ２，６ｂ２のそれぞれ対応するものを挟持する挟持部材から成っている。また、前述した当接部は、ブラケット２０の他端２０ｂに設けたジャッキボルト２１から成っている。
【００２６】
同図１に示すように、前述したブラケット２０は、横断面がコ字形状のものから成っている。前述した挟持部材は、図２にも示すように、ガイドレール６ａ，６ｂのベース部６ａ２，６ｂ２のそれぞれ対応するものに当接し、ブラケット２０の一端２０ａとの協働によりベース部６ａ２，６ｂ２の対応するものを挟持するクランプ２２と、このクランプ２２をブラケット２０の一端２０ａに締結するボルト２３及びナット２４とから成っている。
【００２７】
また、ブラケット２０の他端２０ｂには、ジャッキボルト２１が螺合するねじ孔２０ｃを形成してある。ジャッキボルト２１には、このジャッキボルト２１をブラケット２０の他端２０ｂに固定する固定ナット２５を螺合させてある。
【００２８】
本実施形態に係る継ぎ目板脱着治具を用いて、既設の板厚ｔを有する継ぎ目板９を、耐震強度の確保を考慮した大きな板厚Ｔ（＞ｔ）を有する継ぎ目板９Ａに交換するに際しては、図２，３に示すように、上側に位置する上側ガイドレール６ａのベース部６ａ２の両端部に、クランプ２２、ボルト２３、及びナット２４によって一対の第１間隔保持部材Ａを取り付ける。同様に、下側に位置する下側ガイドレール６ｂのベース部６ｂ２の両端部に、クランプ２２、ボルト２３、及びナット２４によって一対の第２間隔保持部材Ｂを取り付ける。
【００２９】
この状態において、それぞれの第１間隔保持部材Ａのジャッキボルト２１を図示しない回転工具で回転させて、ジャッキボルト２１の端部を昇降路１の壁部１５に当接させ、固定ボルト２５でジャッキボルト２１をブラケット２０の他端２０ｂに固定する。同様に、それぞれの第２間隔保持部材Ｂのジャッキボルト２１を図示しない回転工具で回転させて、ジャッキボルト２１の端部を昇降路１の壁部１５に当接させ、固定ボルト２５でジャッキボルト２１をブラケット２０の他端２０ｂに固定する。
【００３０】
このように第１間隔保持部材Ａと第２間隔保持部材Ｂを配置した状態において、図３に示すボルト１０及びナット１１を緩め、また、ボルト１２及びナット１３を緩めることにより、既設の継ぎ目板９をガイドレール６ａ，６ｂから取り外すことができる。このように継ぎ目板９を取り外した状態にあっても、上側ガイドレール６ａの下部が第１間隔保持部材Ａに保持され、下側ガイドレール６ｂの上部が第２間隔保持部材Ｂに保持されているので、ガイドレール６ａ，６ｂの捩じれを抑えることができる。
【００３１】
前述のように既設の継ぎ目板９を取り外した後、板厚の大きな継ぎ目板９Ａの上部を、ボルト１０及びナット１１によって上側ガイドレール６ａに取り付ける。同様に、継ぎ目板９Ａの下部を、ボルト１２及びナット１３によって下側ガイドレール６ａに取り付ける。
【００３２】
このように板厚の大きい継ぎ目板９Ａをガイドレール６ａ，６ｂのそれぞれに取り付けた後には、一対の第１間隔保持部材Ａ、及び一対の第２間隔保持部材Ｂのそれぞれの固定ナット２５を緩め、またジャッキボルト２１をその端部が昇降路１の壁部１５から離れるように回転させ、さらにボルト２３及びナット２４を緩めて、これらの第１間隔保持部材Ａ、及び第２間隔保持部材Ｂをガイドレール６ａ，６ｂから取り外す。
【００３３】
このようにして図４に示すように、既設の板厚ｔを有する継ぎ目板９を、板厚ｔよりも大きな板厚Ｔを有する継ぎ目板９Ａに交換することができる。１つの継ぎ目部分８に設けられた既設の継ぎ目板９を、耐震強度を確保し得る継ぎ目板９Ａに交換した後には、他の継ぎ目部分８に設けられた既設の継ぎ目板９を、板厚Ｔを有する継ぎ目板９Ａに交換する作業を行う。このように既設の継ぎ目板９の例えば全てを、大きな板厚Ｔを有する継ぎ目板９Ａに交換することによって、ガイドレール６の耐震上の強度を確保することができる。
【００３４】
本実施形態によれば、前述したように、第１間隔保持部材Ａ、及び第２間隔保持部材Ｂにより、既設の継ぎ目板９が取り付けられるガイドレール６ａ，６ｂに捩じれを生じさせることなく、板厚の大きな継ぎ目板９Ａに交換することができる。これにより本実施形態は、ガイドレール６の耐震上の強度の確保を、少ない部材数で、また少ない作業工数で実現させることができ、ガイドレール６の耐震強度確保に要する作業費用を抑えることができて、実用性に富む。
【符号の説明】
【００３５】
Ａ    第１間隔保持部材
Ｂ    第２間隔保持部材
２    乗かご（昇降体）
６    ガイドレール
６ａ  上側ガイドレール
６ａ１  レール部
６ａ２  ベース部
６ｂ  下側ガイドレール
６ｂ１  レール部
６ｂ２  ベース部
８    継ぎ目部分
９    継ぎ目板
９Ａ  継ぎ目板
１５    壁部
２０    ブラケット
２０ａ  一端
２０ｂ  他端
２０ｃ  ねじ孔
２１    ジャッキボルト（当接部）
２２    クランプ
２３    ボルト
２４    ナット
２５    固定ナット
【図１】
2016102001.tif 000003
【図２】
2016102001.tif 000004
【図３】
2016102001.tif 000005
【図４】
2016102001.tif 000006
【図５】
2016102001.tif 000007
【図６】
2016102001.tif 000008
【図７】
2016102001.tif 000009
【図８】
2016102001.tif 000010